(57)【要約】【課題】スイッチング時間が短いことを特徴とする高周波ＭＥＭＳスイッチを提供する。【解決手段】  一端が、絶縁体１４を備える高抵抗性の基板１２の上に取り付けられた可撓性スイッチング素子１８と、前記基板１２の中に電荷キャリアを供給するためのコンタクト電極２４とを備え、前記スイッチング素子１８と前記基板１２との間には、前記スイッチング素子１８上に静電気曲げ力を生成するための電界が生成され得る、高周波ＭＥＭＳスイッチ１０であって、実質的に前記絶縁体１４の直下の前記基板１２内に、少なくとも１つのインプラント領域２０が形成されており、前記少なくとも１つのインプラント領域２０は、前記絶縁体１４の開口部２２を通って、前記絶縁体１４の上方に配置されたコンタクト電極２４と接触していると共に、前記基板１２に対してオーミックコンタクトを有している。【選択図】図１
2011204682.tif 000002
【特許請求の範囲】
【請求項１】
一端が、絶縁体（１４）を備える高抵抗性の基板（１２）の上に取り付けられた可撓性スイッチング素子（１８）と、前記基板（１２）の中に電荷キャリアを供給するためのコンタクト電極（２４）とを備え、前記スイッチング素子（１８）と前記基板（１２）との間には、前記スイッチング素子（１８）上に静電気曲げ力を生成するための電界が生成され得る、高周波ＭＥＭＳスイッチ（１０）であって、
前記絶縁体（１４）の直下の前記基板（１２）内に、少なくとも１つのインプラント領域（２０）が形成されており、前記少なくとも１つのインプラント領域（２０）は、前記絶縁体（１４）内の開口部（２２）を通って、前記絶縁体（１４）の上方に配置されたコンタクト電極（２４）と接触していると共に、前記基板（１２）に対してオーミックコンタクトを有していることを特徴とする、高周波ＭＥＭＳスイッチ。
【請求項２】
前記インプラント領域（２０）は、前記スイッチング素子（１８）に対して側方にずらされて配置されていることを特徴とする、請求項１に記載の高周波ＭＥＭＳスイッチ。
【請求項３】
前記インプラント領域（２０）は、前記スイッチング素子（１８）の可動端部の前で終結しており、前記スイッチング素子（１８）の自由端の下方には、信号導体部分が、第２のインプラント領域（３０）として形成されており、前記第２のインプラント領域（３０）は、容量結合によって、可動性の前記スイッチング素子（１８）と相互に作用することを特徴とする、請求項１に記載の高周波ＭＥＭＳスイッチ。
【請求項４】
複数のインプラント領域（２０）が設けられていることを特徴とする、請求項１〜３のいずれか１項に記載の高周波ＭＥＭＳスイッチ。
【発明の詳細な説明】
【技術分野】
【０００１】
本発明は、高周波ＭＥＭＳスイッチに関する。この高周波ＭＥＭＳスイッチは、請求項１の前文に記載のように、一端が、絶縁体を備える高抵抗性の基板の上に取り付けられた可撓性スイッチング素子と、この基板の中に電荷キャリアを供給するためのコンタクト電極とを備えており、スイッチング素子と基板との間には、スイッチング素子上に静電気曲げ力を生成するための電界が生成され得る。
【背景技術】
【０００２】
ＭＥＭＳスイッチ（ＭＥＭＳ(Micro Electro Mechanical Systems)＝マイクロ電気機械システム）は、種々の用途、特に、自動車電子工学、電気通信、医用工学、または測定技術において利用される。その小型化のため、このような、マイクロ電気機械システムとして構成されたスイッチング素子は、特に、宇宙航行の用途、および人工衛星システムに適している。特に、レーダーシステム、人工衛星通信システム、無線通信システム、および、機器システムでは、高周波ＭＥＭＳスイッチが用いられる。高周波ＭＥＭＳスイッチの一例としては、人工衛星に基づいたレーダーシステム用の、位相アンテナ設備および位相器が挙げられる。
【０００３】
高周波ＭＥＭＳスイッチは、多数の利点を有している。これらの利点には、特に、電流消費量が極めてわずかであること、絶縁が良好または寄生容量が小さいこと、挿入減衰が小さい、または挿入損失が小さいこと、及び製造コストが安いことなどが挙げられる。
【０００４】
特許文献１（DE 10 2004 062 992 A1号）には、請求項１の前文に係る高周波ＭＥＭＳスイッチが開示されている。この高周波ＭＥＭＳスイッチは、高抵抗性の基板から構成されている。この基板の１つの面には、１つの電極が、接地電極として設けられている。この基板の反対側の面には、絶縁層が配置されている。この絶縁層の上には、湾曲したスイッチング素子が、一端で固定されており、対向する自由端は、基板から離れるように湾曲した状態で配置されている。スイッチング素子と接地電極との間に電圧が印加されると、実質的に、絶縁層の下方の基板とスイッチング素子との間に、電界が形成される。電界は、スイッチング素子の湾曲した区域を引き寄せ、基板の表面の方に伸ばして、直線状にする。この湾曲可能なスイッチング素子が絶縁層に近づく際に、スイッチング素子と該スイッチング素子に向かい合った信号導体との間に、容量結合が生じる。これは、基本的なスイッチング動作を示すものである。この信号導体は、上述の公知の実施形態では、絶縁層の上に配置されているが、この信号導体を、絶縁層の下方に形成された、外部と接触するインプラント領域として、基板の内部に形成することも可能である。
【０００５】
このような高周波ＭＥＭＳスイッチのスイッチング時間は、電気的作用および機械的作用によって制限される。通信システムおよびレーダーシステムにおける多くの用途では、スイッチング時間が短いことが望ましい。その場合、機械的作用は、高周波特性と相関するため、所望のようには良好になり得ない。この場合、スイッチング時間は、機械的スイッチング時間と電気的スイッチング時間との合計であり、電気的スイッチング時間は、ＭＥＭＳ構造のリードの抵抗値とキャパシタンスとの積の逆数に比例する。（１／（Ｒ＊Ｃ））
【０００６】
多くの場合、機械的スイッチング時間を短縮するために、ＨＦ−ＭＥＭＳスイッチの形状寸法、およびそのスイッチング素子（カンチレバー）は、最適化されている。また、過電圧（スイッチング電圧よりも明らかに高い駆動電圧）を用いて、ターンオン時間をさらに短縮することが可能であるが、ターンオフ時間を短縮することはできない。
【０００７】
しかし、この措置（すなわち、ＨＦ−ＭＥＭＳスイッチおよびスイッチング素子の形状的寸法を最適化すること）によっても、電気的スイッチング時間は変わらない。電気的ターンオン時間だけは、同じく過電圧によって、さらに低減することが可能であるが、このことは、電荷キャリアが絶縁体の上端に蓄積する（固着作用）という望ましくない事態を招き、これによって、ＭＥＭＳスイッチは使用不可能になる場合もある。電荷を、絶縁層の下面に導く必要があるため、電気的スイッチング時間に重要なリードの抵抗が、基板抵抗、および基板背面のショトキーコンタクトによって優位になる。リードの抵抗は、電気的スイッチング時間に決定的な影響を与える。この抵抗の典型的な値は、７００ｋΩの大きさである。典型的な機械的スイッチング時間は、８μｓ〜１００μｓの範囲である。これは、印加された駆動電圧に応じて変動する。駆動電圧が、スイッチング電圧と比較して高い場合、スイッチング時間が短いことになる。なぜなら、カンチレバーが、比較的大きな力によって、基板の方向に向かって強く加速されるからである。８μｓは、高電圧の場合の値を示し、１００μｓは、低電圧の場合の値を示している。
【０００８】
典型的な電気的スイッチング時間は、５０ｐＦの値の容量を考慮すると、３０μｓ〜９０μｓの範囲である。電気的スイッチング時間も、スイッチの駆動電圧が小さい場合と大きい場合とで、変動する。
【０００９】
特許文献２（US 2009/0174014 A1号）および特許文献３（US 2008/0017489 A1号）には、表面の近傍にコンタクトを備えるＭＥＭＳ高周波スイッチが開示されている。
【００１０】
ドープされた半導体層を、高抵抗性の基板上の絶縁層の下で、コンタクト電極として用いることは、B. Pillans et al., の文献「Schottky contact RF MEMS switch characterization」, Proc. IEEE Int. Microw. Symp., 2007年, 379-382頁（非特許文献１）に開示されている。さらに、J. Iannacci et al., の文献「A general purpose reconfigurable MEMS-based attenuator for Radio Frequency and microwave applications」, EUROCON 2009, IEEE, 2009年5月18-23日, 1197-1205頁（非特許文献２）には、注入によってドープされたポリシリコン電極を絶縁薄層の下に有するＭＥＭＳ高周波スイッチが記載されている。
【００１１】
高周波部材の基板の表面に近接して埋め込まれたコンタクトが、特許文献４（US 5 628 663 A号）に開示されている。また、埋め込み式電極のオーミックコンタクトが、既に、特許文献５（US 2007/0215966 A1号）に開示されている。
【先行技術文献】
【特許文献】
【００１２】
【特許文献１】DE 10 2004 062 992 A1号
【特許文献２】US 2009/0174014 A1号
【特許文献３】US 2008/0017489 A1号
【特許文献４】US 5 628 663 A号
【特許文献５】US 2007/0215966 A1号
【非特許文献】
【００１３】
【非特許文献１】「Schottky contact RF MEMS switch characterization」B. Pillans et al., Proc. IEEE Int. Microw. Symp., 2007年, 379-382頁
【非特許文献２】「A general purpose reconfigurable MEMS-based attenuator for Radio Frequency and microwave applications」J. Iannacci et al., EUROCON 2009, IEEE, 2009年5月18-23日, 1197-1205頁
【発明の概要】
【発明が解決しようとする課題】
【００１４】
これに基づき、本発明の課題は、スイッチング時間が短いことを特徴とする、請求項１の前文に係る高周波ＭＥＭＳスイッチを提供することにある。
【課題を解決するための手段】
【００１５】
本発明によれば、この課題は、絶縁体の直下の基板内に、少なくとも１つのインプラント領域を形成することによって解決される。このインプラント領域は、絶縁体の開口部を通って、絶縁体の上方に配置されたコンタクト電極と接触しており、さらに、基板に対してオーミックコンタクトを有している。
【００１６】
本発明の好ましい発展形態は、従属請求項に記載されている。
【００１７】
本発明の原理は、接地電位の供給を、従来のように基板の背面からではなく、基板の上面から、絶縁体の開口部を通って導くと共に、基板に対してオーミックコンタクトを形成するためのインプラント領域を、絶縁体の下方に提供することである。従って、基板の背面にコンタクトを形成する代わりに、接地接触は、表側面を介して導かれる。高抵抗性の基板に対してオーミックコンタクトを有する少なくとも１つのインプラント領域を、スイッチング素子の隣または下に配置することによって、電気経路を短縮し、これによって、リード抵抗および結果的に電気的スイッチング時間を短縮する。さらに、極性が規定されていない高抵抗性のショットキーダイオードを、背面コンタクトと基板との間に配置することを省くことができる。これによって、リードの抵抗を、形態に応じて、それぞれに所望の、例えば５０ｋΩの値に、正確且つ再現可能に低減することが可能である。これによって、駆動電圧が高い場合の電気的スイッチング時間を、２〜４０μｓの範囲にすることが可能である。基板を接地接触するための少なくとも１つのインプラント領域を、「表側面」から用いることによって、電気的スイッチング時間、および従ってスイッチング時間全体が、著しく短縮される。このため、ＨＦ−ＭＥＭＥＳの使用スペクトルは、大幅に拡張される。
【００１８】
本発明の好ましい一発展形態によれば、少なくとも１つのインプラント領域は、スイッチング素子に対して側方にずらされて配置されている。この構成は、インプラント領域がスイッチング素子自体の直下に配置されている構成よりも、ＨＦ損失がわずかであるという利点を有している。しかし、この構成は、インプラント部がスイッチング素子のすぐ下に設けられた構成とは異なり、高い抵抗を生じさせる。
【００１９】
複数のインプラント領域が設けられていてもよい。これらの複数のインプラント領域は、様々な位置、例えばスイッチング素子の両側面に配置可能である。
【００２０】
これらのインプラント領域は、イオン注入によって形成されることが好ましい。
【００２１】
本発明の好ましい一発展形態は、インプラント領域が、スイッチング素子の下方に配置されていることを提供する。こうすることによって、リード抵抗を、可能な限り少ない、約５０ｋΩの値にすることが可能であり、これによって、スイッチング時間を、可能な限り短くすることが可能である。
【００２２】
好ましい一発展形態によれば、インプラント領域は、スイッチング素子の可動端部の前、すなわち、可動性のスイッチング素子の下方に形成された第２のインプラント領域の前で終結しており、このためインプラント領域は、可動性のスイッチング素子との相互作用によって、容量結合として本来のスイッチング動作を実施する。
【００２３】
インプラント領域は、標準的なイオン注入によって形成される。ここで、ドーピングは、基板とのオーミックコンタクトが生成されるように選択される。このドーピングは、少なくとも約１μｍの深さであることが好ましい。
【００２４】
以下に、添付の図面を参照しながら、本発明の好ましい実施形態についてさらに説明する。同一の参照番号は、同一の部材を示すものである。
【図面の簡単な説明】
【００２５】
【図１】図１は、高周波ＭＥＭＳスイッチを示す概略的な断面図である。
【図２】図２は、高周波ＭＥＭＳスイッチの第１の実施形態を示す平面図である。
【図３】図３は、高周波ＭＥＭＳスイッチの第２の実施形態を示す平面図である。
【図４】図４は、高周波ＭＥＭＳスイッチの第３の実施形態を示す平面図である。
【発明を実施するための形態】
【００２６】
図１は、高周波の用途に適した高周波ＭＥＭＳスイッチ１０を示す概略的な断面図である。この高周波ＭＥＭＳスイッチ１０は、例えばシリコンから構成される高抵抗性の基板１２を含む。この基板の表側面には、例えば約１００ｎｍ〜５００ｎｍの厚さのＳｉＯ２から構成される絶縁層１４が設けられている。基板１２の背面には、背面コンタクト１６が設けられている。スイッチ１０は、この背面コンタクト１６を介して、従来のように配線されている。こうして、スイッチ１０は、マイクロストリップ伝送線を介した高周波伝送だけを行う。
【００２７】
絶縁層１４の上には、静止状態において湾曲した可撓性スイッチング素子１８が、一端で固定されており、その自由端は、絶縁層１４から離間されている。
【００２８】
絶縁層１４の下方には、第１のインプラント領域２０が広がっている。第１のインプラント領域２０は、絶縁層１４内の貫通口２２を介して、第１の金属端子コンタクト２４と、導電的に接続されている。
【００２９】
電圧源２６が、導線２８ａを介して、第１の端子コンタクト２４に接続されており、導線２８ｂを介して、スイッチング素子１８に接続されている。
【００３０】
スイッチング素子１８の自由端の下方には、第２のインプラント領域３０が設けられている。第２のインプラント領域３０は、先に続くマイクロストリップ伝送線の信号導体に、図示されていない接続を介して接触している。スイッチング素子１８が近接すると、スイッチング素子とインプラント領域３０との間に、容量結合が形成される。
【００３１】
電圧源２６をアクティブにすることによって、ある極性の電荷キャリアが、スイッチング素子１８の中に達すると共に、逆の極性が、導線２８ａを介して、第１のインプラント領域２０の中に達し、インプラント領域２０から基板１２の中に達して、静電引力が作用する。この静電引力は、スイッチング素子１８を、基板１２の方向に引き付けて、これを伸ばす。スイッチング素子１８が第２のインプラント領域３０に近接することによって、本来のスイッチング動作が、容量結合を介して行われる。逆に、電圧源２６の供給を停止すると、静電引力は停止され、スイッチング素子１８は、再び、湾曲した静止状態に戻る。これによって、スイッチは、再び「開かれる」、すなわち、容量結合は終了する。
【００３２】
図２は、高周波ＭＥＭＳスイッチ１０ａの好ましい第１の実施形態を示す概略的な平面図である。この図では、インプラント領域２０ａは、スイッチング素子１８に対して側方にずらされて配置されている。スイッチング素子１８は、抵抗を有する導体３２によって、第２の端子コンタクト３４に結合されている。この第２の端子コンタクト３４は、導線２８ｂを介して電圧源２６に接続されている。この図では、第２のインプラント領域は、図示されていない。
【００３３】
図３に係る実施形態の高周波ＭＥＭＳスイッチ１０ｂは、図２の実施形態に非常に相似している。ここでは、インプラント領域２０ｂは、図１のインプラント領域よりも、スイッチング素子１８に近接して配置されている。このため、図２に係る実施形態よりも、電気抵抗は少なく、電気的スイッチング時間も短い。本実施形態は、図４に係るものと比べて、ＨＦ損失が幾分少ないという利点を有している。
【００３４】
図４に係る実施形態の高周波ＭＥＭＳスイッチ１０ｃでは、インプラント領域２０ｃは、完全にスイッチング素子１８の下方にあり、スイッチング素子１８の長さの大部分にわたって広がっている。このため、生じるオーム抵抗は極めてわずかである。本実施形態は、スイッチング時間が最も短いという利点を有している。
【符号の説明】
【００３５】
１０  高周波ＭＥＭＳスイッチ
１２  基板
１４  絶縁層（絶縁体）
１８  スイッチング素子
２０  インプラント領域
２２  貫通口（開口部）
２４  第１の端子コンタクト（コンタクト電極）
【図１】
2011204682.tif 000003
【図２】
2011204682.tif 000004
【図３】
2011204682.tif 000005
【図４】
2011204682.tif 000006